(57)【特許請求の範囲】
【請求項１】
照射方向に設けられたガラス、照射開口にガラスが取付けられるアルミニウムダイキャスト製の器具前部体、器具前部体の照射開口の反対側に取り付けられ背面に形成された放熱フィンを有し左右に翼部が突設されこの左右翼部にそれぞれランプホルダが形成されるアルミニウムダイキャスト製の器具後部体、左右のランプホルダにて固定され器具後部体に内装される放電ランプとを備えた器具本体と；
放電ランプの始動時にパルスを印加して放電ランプを始動させるイグナイタと；
アルミニウムダイキャスト製の放熱フィンを有するとともにイグナイタが収納され、器具後部体の背面側に設けられたアルミニウムダイキャスト製のイグナイタボックスと；
イグナイタおよび放電ランプを電気的に接続する一対の送電線と；
器具後部体の翼部およびイグナイタボックス間に一対に配設されるとともにイグナイタボックスに突出して一体的に設けられ、内部に送電線を挿通する筒状のアルミニウムダイキャスト製の送電線挿通用部材と；
を具備したことを特徴とする投光器。
【請求項２】
送電線挿通用部材およびイグナイタボックスに突出して一体的に形成されこのイグナイタボックスを器具本体に固定するねじを挿通する取付用部材の少なくとも一方に取り付けられた遮蔽板を具備したことを特徴とする請求項１記載の投光器。
【発明の詳細な説明】
【０００１】
【発明の技術分野】
本発明は、イグナイタからのパルスにより放電ランプを始動点灯させる投光器に関する。
【０００２】
【従来の技術】
従来、この種の投光器としては、たとえば特開平５−１８２５０１号公報に記載の構成が知られている。
【０００３】
この投光器は、器具本体内に高圧放電ランプが内包され、この器具本体の後部に高圧放電ランプと電気的に接続するための端子台を設け、別個に配設された高圧放電ランプを始動させるイグナイタからの配線をこの端子台に接続し、高圧放電ランプとイグナイタとを電気的に接続して、高圧放電ランプをイグナイタからのパルスにより始動点灯させている。
【０００４】
【発明が解決しようとする課題】
しかしながら、上記特開平５−１８２５０１号公報に記載の構成の場合、イグナイタを器具本体の近傍に配設するので、高圧放電ランプから発生する熱がイグナイタボックスに伝わり易く、イグナイタに誤動作を生じやすい問題を有している。
【０００５】
本発明は、上記問題点に鑑みなされたもので、簡単な構成で放熱性を向上できるとともに、器具全体の軽量化を図ることができる投光器を提供することを目的とする。
【０００６】
【課題を解決するための手段】
請求項１記載の投光器は、照射方向に設けられたガラス、照射開口にガラスが取付けられるアルミニウムダイキャスト製の器具前部体、器具前部体の照射開口の反対側に取り付けられ背面に形成された放熱フィンを有し左右に翼部が突設されこの左右翼部にそれぞれランプホルダが形成されるアルミニウムダイキャスト製の器具後部体、左右のランプホルダにて固定され器具後部体に内装される放電ランプとを備えた器具本体と；放電ランプの始動時にパルスを印加して放電ランプを始動させるイグナイタと；アルミニウムダイキャスト製の放熱フィンを有するとともにイグナイタが収納され、器具後部体の背面側に設けられたアルミニウムダイキャスト製のイグナイタボックスと；イグナイタおよび放電ランプを電気的に接続する一対の送電線と；器具後部体の翼部およびイグナイタボックス間に一対に配設されるとともにイグナイタボックスに突出して一体的に設けられ、内部に送電線を挿通する筒状のアルミニウムダイキャスト製の送電線挿通用部材と；
を具備したもので、外部に露出している部分のすべてがアルミニウムダイキャストとなるので放熱性が向上するとともに軽量化し、照射方向とは反対側にイグナイタボックスが位置するので、放電ランプからの熱はイグナイタボックスに伝達しにくく、また、イグナイタボックスは放熱フィンを有するので、イグナイタボックスからも有効に放熱するため、イグナイタボックスでも放熱性が高まるとともに、送電線挿通用部材はイグナイタボックスに突出して一体的に形成されたので、イグナイタボックスおよび器具本体に位置するイグナイタおよび放電ランプを電気的に接続する送電線の防水性をより向上する。
【０００７】
請求項２記載の投光器は、請求項１記載の投光器において、送電線挿通用部材およびイグナイタボックスに突出して一体的に形成されこのイグナイタボックスを器具本体に固定するねじを挿通する取付用部材の少なくとも一方に取り付けられた遮蔽板を具備したもので、簡単な構成で遮蔽板を取り付け、遮蔽板で器具本体の放電ランプからの熱を遮蔽し、イグナイタボックスの温度上昇を防ぎ、放熱性を高める。
【０００８】
【発明の実施の形態】
以下、本発明の投光器の一実施の形態を図面を参照して説明する。
【０００９】
図１は投光器を示す側面図で、図２は背面図で、図３は一部を切り欠いた平面図であり、投光器は器具本体１と、この器具本体１の背面に配設されたイグナイタボックス２とから構成されている。
【００１０】
また、図４は器具本体を示す断面図で、図５は器具後部体を示す正面図で、器具本体１はアルミニウムダイキャスト製の器具後部体３およびこの器具後部体３の前面に位置する同様にアルミニウムダイキャスト製の器具前部体４にて形成されている。さらに、器具前部体４の前面にはパッキング５を介して板ガラス６が装着されている。
【００１１】
そして、器具後部体３は、図５に示すように、中央に円板部11が設けられこの円板部11の両翼に翼部12および翼部13が左右方向に突設されている。そして、これら翼部12，13には、端子板14，15がそれぞれ配設され、これら端子板14，15には磁器またはセラミクス製のランプホルダ16，17が装着され、これらランプホルダ16，17間には、ショートアーク型の高輝度放電ランプ18が装着されている。なお、ランプホルダ16，17は、端子板14，15と一体に形成されていてもよい。また、円板部11の中央には、円柱状の突部19が形成されている。
【００１２】
さらに、器具後部体３の上部にはハンドル21が突出形成されるとともに、下部にはヒンジ体22が突出形成されており、背面には放熱フィン23が突出形成されている。なお、高輝度放電ランプ18は、全長３１０mm、定格ランプ電力２０００Ｗ、全光束２０００００lm、ランプ効率１００lm／Ｗ、色温度５６００Ｋ、平均演色評価数９４Raである。
【００１３】
また、器具前部体４は前方に向けて拡開した截頭円錐筒状で、前面には照射開口26が開口形成され、この照射開口26の周囲には前面枠27が取り付けられている。そして、器具前部体４の後下部は器具後部体３のヒンジ22に回動自在に取り付けられ、器具後部体３の上部に形成された係止部28が器具前部体４に係止されることにより、器具前部体４が器具後部体３に装着され、メインテナンスなどの際に器具前部体４が器具後部体３に対して回動する。また、器具前部体４の側部には器具後部体３の翼部12，13の前面側に位置して、放熱フィン29が形成されている。
【００１４】
さらに、図６は前部反射体を示す断面図、図７は後部反射体を示す断面図で、器具本体１の内部には、反射体31が配設されている。この反射体31も器具本体１と同様に、器具後部体３に装着されるアルミニウム製の後部反射体32と、器具前部体４に装着される同様にアルミニウム製の前部反射体33とにて構成されている。そして、後部反射体32は後部中央に嵌合孔34が形成され、器具後部体３の突部19に嵌合されて取り付けられ、後部側には前方に向けて拡開した截頭円錐筒部35が形成され、この截頭円錐筒部35の前方側には連続して前方に拡開した球面状部36が形成され、前方が開口している。そして、この截頭円錐筒部35では、高輝度放電ランプ18から後方に照射された光を効率よく前方に反射する作用を有する。また、前部反射体33には、後部反射体32に対応し、前方に向けて拡開した球面状部37が形成され、この球面状部37の前方側には連続して前方に拡開した截頭円錐筒部38が形成され、この截頭円錐筒部38の前方には照射口39が形成され、器具本体１の照射開口26に対向している。そして、この反射体31は、超狭角、狭角、中角および広角の４種類を有しており、超狭角の場合には、最大光度２００００cd／KLm、１／１０ビーム角１８°、１／１０ビーム効率３５％で、狭角の場合には、最大光度１１０００cd／KLm、１／１０ビーム角２４°、１／１０ビーム効率４１％で、中角の場合には、最大光度６２５０cd／KLm 、１／１０ビーム角３０°、１／１０ビーム効率４２％で、広角の場合には、最大光度３１００cd／KLm 、１／１０ビーム角４７°、１／１０ビーム効率４６％である。
【００１５】
また、器具本体１には、Ｕ字状の脚41がボルト42，43にて回動自在に取り付けられ、ハンドル44を操作することにより、回動状態をロックでき所定角度で固定する。さらに、脚41には台座45が取り付けられ、この台座45は被装着面に固定される。
【００１６】
そして、イグナイタボックス２は、一方が開口した箱状のボックス本体51と、このボックス本体51の開口を着脱自在に閉塞する蓋体52とから構成され、高輝度放電ランプ18の始動時にコンデンサおよびインダクタの発振によりパルス出力を行なうイグナイタとしての機能を有する安定器53が収納されている。この安定器53は、高力率型で、定格電源電圧４２０Ｖ、始動時の入力電流７．０Ａ、安定時の入力電流５．５Ａ、無負荷時の入力電流８．２Ａ、入力電力２０５０Ｗである。
【００１７】
また、ボックス本体51には、器具本体１の器具後部体３に装着する取付用部材としての取付用スタッド54が上下方向に二対突出して形成されており、これら取付用スタッド54には図示しないねじが螺合されるねじ孔が形成されている。さらに、これら取付用スタッド54の上下方向の中間にはそれぞれ送電線挿通用部材としての送電線挿通用スタッド56が突出形成され、この送電線挿通用スタッド56には連通孔57が一対形成されている。そして、連通孔57は、器具本体１の器具後部体３に穿設された挿通孔58に連通し、連通孔57および挿通孔58が挿通した状態で、安定器53および高輝度放電ランプ18を接続する送電線61を挿通する。
【００１８】
ここで、上記実施の形態の作用について説明する。
【００１９】
器具本体１の器具後部体３に取付用スタッド54を介してイグナイタボックス２を取り付けたことにより、簡単な構成で器具後部体３にイグナイタボックス２を装着できるとともに、送電線挿通用スタッド56の連通孔57を介して、安定器53および高輝度放電ランプ18を接続する送電線61を挿通したので、簡単な構成になり軽量化を図ることができるとともに、従来のように送電線を外部に位置させることもなくなるので、防水性を図れる。
【００２０】
また、器具後部体３もイグナイタボックス２もアルミニウムダイキャスト製であるため、それぞれから発生した熱はそれぞれ対応する部分から放熱され、さらに、放熱フィン62などを含めて表面積が大きくなるため、放熱効果も高まる。
【００２１】
なお、器具本体１およびイグナイタボックス２の間に遮蔽板を設け、互いの熱的影響を防止するようにしても良い。そして、遮蔽板の装着に際しては、たとえば取付用スタッド54および送電線挿通用スタッド56をそれぞれ軸方向に２分し、これら２分された取付用スタッド54および送電線挿通用スタッド56間に挟持して取り付ける。
【００２２】
【発明の効果】
請求項１記載の投光器によれば、外部に露出している部分のすべてがアルミニウムダイキャストとなるので放熱性が向上できるとともに、軽量化でき、照射方向とは反対側にイグナイタボックスが位置するので、放電ランプからの熱はイグナイタボックスに伝達しにくく、また、イグナイタボックスは放熱フィンを有するので、イグナイタボックスからも有効に放熱するため、イグナイタボックスでも放熱性を高くできるとともに、送電線挿通用部材はイグナイタボックスに突出して一体的に形成されたので、イグナイタボックスおよび器具本体に位置するイグナイタおよび放電ランプを電気的に接続する送電線の防水性をより向上できる。
【００２３】
請求項２記載の投光器によれば、請求項１記載の投光器に加え、送電線挿通用部材および取付用部材の少なくとも一方に取り付けられた遮蔽板を具備したので、簡単な構成で遮蔽板を取り付け、遮蔽板で器具本体の放電ランプからの熱を遮蔽し、イグナイタボックスの温度上昇を防ぎ、放熱性を高めることができる。
【図面の簡単な説明】
【図１】  本発明の投光器の一実施の形態を示す側面図である。
【図２】  同上背面図である。
【図３】  同上一部を切り欠いた平面図である。
【図４】  同上器具本体を示す断面図である。
【図５】  同上器具後部体を示す正面図である。
【図６】  同上前部反射体を示す断面図である。
【図７】  同上後部反射体を示す断面図である。
【符号の説明】
１    器具本体
２    イグナイタボックス
６    板ガラス
18    高輝度放電ランプ
23，62 放熱フィン
53    イグナイタとしての機能を有する安定器
54    取付用部材としての取付用スタッド
56    送電線挿通用部材としての送電線挿通用スタッド
61    送電線
【図１】
0003861299.tif 000002
【図２】
0003861299.tif 000003
【図３】
0003861299.tif 000004
【図４】
0003861299.tif 000005
【図５】
0003861299.tif 000006
【図６】
0003861299.tif 000007
【図７】
0003861299.tif 000008